(57)【要約】【課題】顧客は工場を持つ必要がないと共に、特に優れた設計や加工技術を必要としない。単に自己のイメージしている物品を提示するだけで、その通りの物品を得られる。【解決手段】顧客がその端末１、２、３から受注センター４に自己の希望するイメージの物品を提示する。受注センターが該物品を得意としている設計業者に対して設計を指示する。指示された設計業者はその端末７、８、９、１０、１１から受注センター４を通して依頼した顧客の端末に設計図を提示する。設計図が完成したら、受注センター４は端末１３を介して製造・納品業者に設計図の通り物品を製造するよう指示する。次に、製造・納品業者は物品の製造工程の各処理を行う業者に夫々指示を出し、物品を製造する。そして製造・納品業者は、最終的な物品を依頼した顧客或いは顧客が指定する者に届けるものである。【選択図】　　　　図１
2004126649.tif 000002
【特許請求の範囲】
【請求項１】
顧客がその端末から受注センターに自己の希望するイメージの物品を提供するステップと、受注センターが該物品を得意としている設計業者に対して設計を指示するステップと、指示された設計業者がその端末から受注センターを通して依頼した顧客の端末に設計図を提示するステップと、完成した設計図を受注センターから製造・納品業者に送り、設計図の通りの物品を製造するよう指示するステップと、製造・納品業者が物品の製造工程の各処理を行う業者に夫々指示を出し、物品を製造するステップと、製造・納品業者が最終的な物品を依頼した顧客或いは顧客が指定した者に届けるステップとからなるイージーオーダーによる物品の製造納入システム。
【請求項２】
設計業者から顧客の端末に提示する設計図は、物品を三次元的に表現するようになした設計図である請求項１記載のイージーオーダーによる物品の製造納入システム。
【発明の詳細な説明】
【０００１】
【発明の属する技術分野】
本発明はイージーオーダーによる物品の製造納入システムに関するものである。
【０００２】
【従来の技術】
世の中には多種多様な物品があり、そしてある特定の物品を製造する場合には、夫々の業者が工場を持って製造している。
【０００３】
しかし、工場を持って製造する場合には、先ず土地や建物についての費用が必要であり、そしてまたその他に設計や加工といった人件費も必要である。特に人件費がかかり過ぎることから、近時は韓国、台湾、中国といった外国で製造することが多くなり、所謂空洞化といった社会現象まで起きているのである。
【０００４】
また、各会社には夫々設計部門があったとしても、今迄のものに囚われがちになり易く、発想の全く違った斬新なものはでき難い。また、加工部門についても同様のことが言え、仮に斬新なものが提案されたとしても自社の現在の技術では満足を得られるだけの加工が出来ない場合もある。
【０００５】
【発明が解決しようとする課題】
本発明は上記の点に鑑みなされたものであって、顧客は工場を持つ必要がないと共に、特に優れた設計や加工技術も必要とせず、自己のイメージしている物品を提示するだけで、受注センターにおいて設計から加工までを一括して行い、最終的な物品が自己或いは自己が指定する者に届くようになしたことを特徴とするイージーオーダーによる物品の製造納入システムを提供せんとするものである。
【０００６】
【課題を解決するための手段】
而して、本発明の要旨とするところは、顧客がその端末から受注センターに自己の希望するイメージの物品を提供するステップと、受注センターが該物品を得意としている設計業者に対して設計を指示するステップと、指示された設計業者がその端末から受注センターを通して依頼した顧客の端末に設計図を提示するステップと、完成した設計図を受注センターから製造・納品業者に送り、設計図の通りの物品を製造するよう指示するステップと、製造・納品業者が物品の製造工程の各処理を行う業者に夫々指示を出し、物品を製造するステップと、製造・納品業者が最終的な物品を依頼した顧客或いは顧客が指定した者に届けるステップとからなるイージーオーダーによる物品の製造納入システムにある。
【０００７】
また、上記構成において、設計業者から顧客の端末に提示する設計図は、物品を三次元的に表現した設計図であることが望ましい。これにより物品の形態を正確に把握し易くなり、理解が容易になる。
【０００８】
【発明の実施の形態】
以下、本発明の実施の形態について説明する。
図１は本発明の構成説明図である。
【０００９】
図中、１、２、３は顧客端末であり、顧客は夫々扱う物品を異にする業者である。
【００１０】
４は受注センターであり、前記顧客の端末１、２、３とはコンピュータ５によりインターネット６を介して接続される。７、８、９、１０、１１は設計業者端末であり、設計業者は夫々得意分野を異にするものである。そしてまた、該設計業者端末７、８、９、１０、１１はインターネット１２を介して前記受注センター４のコンピュータ５に接続されている。各設計業者は受注センター４から送られた顧客の要望に沿った物品を設計し、受注センター４を通して顧客に設計図を提示するものである。尚、この提示は相手方のコンピュータにおけるモニターに物品を三次元的に表現することが望ましい。
【００１１】
１３は製造・納品業者端末であり、製造・納品業者は前記受注センター４から送られた設計図の通りに製造し、最終的な物品を顧客或いは顧客が指定する者に届けるものである。また、該製造・納品業者は、例えば加工業者、メッキ業者、組立業者等の物品の製造工程の各処理を行う業者を自己の手足として保有しており、１４は加工業者端末、１５はメッキ業者端末、１６は組立業者端末である。
【００１２】
更にまた、前記製造・納品業者は、場合によってはサブ製造・納品業者を自己の手足として保有してもよく、１７はサブ製造・納品業者端末である。また、該サブ製造・納品業者も、前記と同様に物品の製造工程の各処理を行う業者を自己の手足として保有している。１８は加工業者端末、１９はメッキ業者端末、２０は組立業者端末である。
【００１３】
次に、本発明の処理ステップについて説明する。
先ず、各顧客は顧客端末１、２、３から自己の希望するイメージの物品を受注センター４に提示する。これに伴い受注センター４は該物品を得意としている設計業者に対して設計を指示する。そして指示された設計業者は、設計業者端末７、８、９、１０、１１から受注センター４を通して依頼した顧客の端末１、２、３に設計図を提示する。また、このときはコンピュータにおけるモニターに物品を三次元的に表現することが望ましい。そして、顧客はそのままで良いと思う場合には、その旨を受注センター４に送信し、また修正点があればその旨を受注センター４を通して担当設計業者に指示する。そして、再び修正した図面を顧客に提示し、顧客がこれを良いと思えば、その旨を受注センター４に送信する。
【００１４】
次に、受注センター４は製造・納品業者に対して設計図の通りに物品を製造するよう指示する。そしてこの指示を受けると、製造・納品業者は物品製造工程の各処理を行う業者、例えば加工業者、メッキ業者、組立業者等に各処理を指示し、物品を製造する。また製造・納品業者は、特殊な物品のような場合には、サブ製造・納品業者１７に指示して製造させることもある。そして、製造・納品業者は、最終的な物品を依頼した顧客或いは顧客が指定する者に届けるものである。
【００１５】
【発明の効果】
本発明によれば、顧客は工場を持つ必要がないと共に、特に優れた設計や加工技術も必要とせず、自己のイメージしている物品を提示するだけで、受注センターにおいて設計から加工までを一括して行い、最終的な物品が自己或いは自己が指定する者に届くものである。また、設計業者から顧客の端末に提示する設計図は、物品を三次元的に表現した設計図であることが望ましく、この場合には物品の形態を正確に把握し易くなり、理解が容易になる。
【図面の簡単な説明】
【図１】本発明の構成説明図である。
【符号の説明】
１、２、３　顧客端末
４　受注センター
５　コンピュータ
７、８、９、１０、１１　設計業者端末
１２　インターネット
１３　製造・納品業者端末
１４　加工業者端末
１５　メッキ業者端末
１６　組立業者端末
１７　サブ製造・納品業者端末
１８　加工業者端末
１９　メッキ業者端末
２０　組立業者端末
【図１】
2004126649.tif 000003